(57)【要約】      （修正有）【課題】不正行為の確認、分別廃棄の容易なヒンジキャップを提供する。【解決手段】容器口部の天壁2aと、この天壁2aから垂下する周壁2bとを有し、この周壁2bの内周面に形成した突起2c1,2c2が容器口部の外周面に嵌合して当該容器口部に固定される本体2と、周壁2bの後側周壁2b2に延在する補助壁3と、この補助壁3にヒンジ6を介して連結され天壁2aを開閉可能な蓋体5とを備え、補助壁3の周方向端をそれぞれ、当該補助壁3からの引張りにより後側周壁2b2を引き伸ばし可能に連結すると共に、この後側周壁2b2に、当該後側周壁2b2の上下方向に切断可能な第1切断予定線と、この第１切断予定線に繋がって周方向に切断可能な第2切断予定線とを設け、補助壁3からの引っ張りに伴って外向きに反転するヒンジキャップ。【選択図】図５
2010126227.tif 000002
【特許請求の範囲】
【請求項１】
容器口部の上側に配置される天壁と、この天壁の外縁から垂下して容器口部の外周面を取り囲む周壁とを有し、この周壁の内周面に形成した突起が容器口部の外周面に嵌合して当該容器口部に固定される本体と、周壁の後半分領域の少なくとも一部に周方向に沿って延在する補助壁と、この補助壁にヒンジを介して連結され本体の天壁を開閉可能な蓋体とを備え、
補助壁の周方向端をそれぞれ、当該補助壁からの引張りにより前記領域を引き伸ばし可能に連結すると共に、
この領域に、当該領域をその上下方向に沿って切断可能にする第１の切断予定線と、この第１の切断予定線に繋がって２つの周方向端がそれぞれ、互いに接近するように当該領域をその周方向に沿って切断可能にする第２の切断予定線とを設け、
２つの周方向端から切り開かれた前記領域の一部がそれぞれ、当該領域における２つの周方向端の相互間を基点に、補助壁からの引っ張りに伴って外向きに変形することを可能にしたことを特徴とするヒンジキャップ。
【請求項２】
請求項１において、第１の切断予定線は、前記突起を上下方向に切断するものであることを特徴とするヒンジキャップ。
【発明の詳細な説明】
【技術分野】
【０００１】
本発明は、容器からの不正な取り外し行為の有無を視認できると共に、容器口部から分離させることで分別廃棄の可能なヒンジキャップに関するものである。
【背景技術】
【０００２】
従来のヒンジキャップには、容器口部の外周面を周壁で取り囲むと共に、この周壁の後半分領域にヒンジを介して蓋体を連結したものにおいて、この蓋体を開いた状態から横向きに引っ張って周壁の上端に切れ込みを生じさせた後、蓋体を更に下方に向かって押し下げて当該周壁を部分的に剥離させることにより、蓋体を引き上げたときに、周壁に捲れを生じさせ易くしたものがある（例えば、特許文献１参照）。
【特許文献１】特開平１１−４９２１１号公報
【発明の開示】
【発明が解決しようとする課題】
【０００３】
こうしたヒンジキャップは、周壁の一部が薄皮状に剥離するため、容器からの不正な取り外し行為が行われたときには、それを目視により確認することができる。
【０００４】
しかしながら、従来のヒンジキャップは、その取り外しの際、上述の如く、蓋体を開いた状態から横向きに引っ張った後、更に蓋体を下側に向かって押し下げる前工程を行うが必要である。このため、分別廃棄の作業が煩雑になるという問題がある。
【０００５】
本発明の目的とするところは、容器からの不正な取り外し行為が行われたときには、それを目視により確認することができる一方、分別廃棄の際には、煩雑な作業工程を経ることなく、容器口部からの分離が可能なヒンジキャップを提供することにある。
【課題を解決するための手段】
【０００６】
本発明は、容器口部の上側に配置される天壁と、この天壁の外縁から垂下して容器口部の外周面を取り囲む周壁とを有し、この周壁の内周面に形成した突起が容器口部の外周面に嵌合して当該容器口部に固定される本体と、周壁の後半分領域の少なくとも一部に周方向に沿って延在する補助壁と、この補助壁にヒンジを介して連結され本体の天壁を開閉可能な蓋体とを備え、
補助壁の周方向端をそれぞれ、当該補助壁からの引張りにより前記領域を引き伸ばし可能に連結すると共に、
この領域に、当該領域をその上下方向に沿って切断可能にする第１の切断予定線と、この第１の切断予定線に繋がって２つの周方向端がそれぞれ、互いに接近するように当該領域をその周方向に沿って切断可能にする第２の切断予定線とを設け、
２つの周方向端から切り開かれた前記領域の一部がそれぞれ、当該領域における２つの周方向端の相互間を基点に、補助壁からの引っ張りに伴って外向きに変形することを可能にしたことを特徴とするものである。
【０００７】
切断予定線は、補助壁からの引張りに伴い２つの周方向端を起点にそれぞれ、当該領域の一部をその相互間に向かって切り開く構成のものであれば、そのレイアウトは様々に変更することができるが、第１の切断予定線は、前記突起を上下方向に切断するものが好ましい。こうした切断予定線としては、例えば、第１の切断予定線を、周壁の上端又は下端から前記突起に至るまでの切断を可能に構成したものが挙げられる。
【０００８】
また、切断予定線には、例えば、破断可能な薄肉部で形作られたものや、スリット等で形作られた予め隙間をなす分離線を、破断可能な連結片によって間欠的に連結したものが挙げられる。
【０００９】
なお、補助壁の周方向端は、補助壁が後半分領域全体を覆うように連結されることが好ましいが、本発明に従えば、後半分領域全体を覆うことは必ずしも必要ではなく、補助壁が後半分領域よりも小さい領域を占めるように連結されてもよい。即ち、補助壁は、後側周壁の少なくとも一部の領域に周方向に沿って延在していればよい。
【発明の効果】
【００１０】
本発明によれば、蓋体を開いた状態で引っ張ることで、容器口部の外周面に嵌合する周壁のうち、後半分の領域が２つの周方向端を基点にそれぞれ周方向に沿って外向きに変形するように切り開かれる。即ち、２つの周方向端から切り開かれた後側周壁の一部がそれぞれ、当該後側周壁における２つの周方向端の相互間に存在するきり残し部を基点に、補助壁からの引っ張りに伴って外向きに変形する。このため、容器からの不正な取り外し行為が行われたときには、それを目視により確認することができる。
【００１１】
また、容器口部からヒンジキャップを分別廃棄するときも、蓋体を開いた状態で引っ張れば、後半分の領域が２つの周方向端を基点にそれぞれ周方向に沿って外向きに変形するように切り開かれるため、かかる切り開きによって、周壁の内周面に形成された突起による容器口部の外周面との嵌合の一部が解除されるように構成すれば、本体の嵌合力が弱まるため、そのまま蓋体を引き上げれば、従来のように、蓋体を更に下側に押し下げなくとも、容器口部からヒンジキャップを分離することができる。
【００１２】
従って、本発明によれば、容器からの不正な取り外し行為が行われたときには、それを目視により確認することができる一方、分別廃棄の際には、煩雑な作業工程を経ることなく、容器口部からの分離が可能なヒンジキャップを提供することができる。
【００１３】
特に、切断予定線を、周壁の上端又は下端から前記突起に至るまでの切断を可能にする第１の切断予定線と、この第１の切断予定線に繋がり補助壁の周方向端を基点にそれぞれが互いに接近しながら切断される第２の切断予定線とで構成すれば、容器口部からの分離を容易なものとしつつ、不正な容器からの取り外し行為そのものを抑止することができる。
【発明を実施するための最良の形態】
【００１４】
以下、図面を参照して、本発明であるヒンジキャップを詳細に説明する。
【００１５】
図１，２はそれぞれ、本発明の一形態であるヒンジキャップ１を前方上側及び後方上側から蓋体を開いた状態で示す斜視図である。図３は、ヒンジキャップ１の要部を上部から示す平面図であり、また、図４は、分別廃棄（容器からの取り外し）の際して、開封操作後の状態を示す平面図である。更に、図５(a),(b)はそれぞれ、ヒンジキャップ１を閉じた状態を示す縦断面図及び同キャップを下端側から示す要部底面図である。
【００１６】
符号２は、容器口部に固定される本体である。本体２は、容器２０の口部（以下、「容器口部」という）２１の上側に配置される天壁２ａと、この天壁２ａの外縁から垂下して容器口部２１の外周面を取り囲む周壁２ｂとを有する。
【００１７】
天壁２ａには、注出筒２ａ1が一体に起立し、その内側には、プルリング２ａ2を一体に備える封止栓２ａ3が設けられている。封止栓２ａ3は、注出筒２ａ1の内側に、プルリング２ａ2の引き上げより破断可能な薄肉部２ａ4を介して一体に繋がる。これにより、プルリング２ａ2を利用して封止栓２ａ3を引き上げると、薄肉部２ａ4が切断されることで、注出筒２ａ1の内側には、容器の内側に通じる注出口が形成される。
【００１８】
周壁２ｂには、その外周面を軸線Ｏに沿って上下方向に径方向外向きに窪ませた凹部３ｎが形成されている。これにより、周壁２ｂは、容器口部２１の前半分側に配置され、この前半分を覆う前半分領域（以下、「前側周壁」という）２ｂ1と、容器口部２１の後半分側に配置され、この後半分を覆う後半分領域（以下、「後側周壁」という）２ｂ2とで区画される。
【００１９】
前側周壁２ｂ1は、図５(a)に示すように、その内側に、下端側に開口する凹部が形成された二重構造であると共に、その内周面に、容器口部２１の外周面に設けた係合突部２１ｐに嵌合する突起２ｃ1が形成されている。また、後側周壁２ｂ2の内周面にも、容器口部２１の外周面に設けた係合突部２１ｐに嵌合する突起２ｃ2が形成されている。
【００２０】
符号３は、後側周壁２ｂ2の周方向に沿って延在する補助壁である。補助壁３の周方向端３ａはそれぞれ、図３に示すように、後側周壁２ｂ2の周方向に間隔を空けて連結されている。また、補助壁３は、その前方下端付近も、軸線Ｏ周りに間隔を配置された破断可能な複数の連結片７を介して後側周壁２ｂ2に一体に連結されている。これにより、補助壁３は、同図に示すように、後側周壁２ｂ2との間に隙間Ｓを生じさせるように配置される。
【００２１】
符号４ａは、補助壁３からの引張りに伴い当該後側周壁２ｂ2の下端から軸線Ｏに沿って突起２ｃ1，２ｃ2に至るまでの切断を可能にする第１切断予定線である。第１切断予定線４ａは、前側周壁２ｂ1と後側周壁２ｂ2とを連結する破断可能な周壁連結部２ｂ3として設けられている。また、符号４ｂは、第１切断予定線４ａに繋がり、補助壁３の周方向端３ａを基点にそれぞれが、互いに接近するように後側周壁２ｂ2の周方向に沿って延在する第２切断予定線である。
【００２２】
これにより、後側周壁２ｂ2は、補助壁３からの引張りに伴い後側周壁２ｂ2が周方向端３ａを基点に外側に引き伸ばされることで切断予定線４ａ，４ｂによって切り開くことができる。なお、切断予定線４ａは、スリット等で形作られた予め隙間をなす分離線に置き換えることもできる。この場合、後側周壁２ｂ2は、切断予定線４ｂを切断するだけで容易に切り開くことができる。
【００２３】
切断予定線４ａ，４ｂは、破断可能な薄肉部、若しくは、スリット等で形作られた予め隙間をなす分離線を、補助壁３からの引張りに伴い後側周壁２ｂ2が周方向端３ａを基点に外側に引き伸ばされることで破断可能な連結片によって間欠的に連結したもの、又は、後側周壁２ｂ2に断続的に形成された複数のスリット（切り取り線）とすることもできる。
【００２４】
符号５は、補助壁３にヒンジ６を介して一体に連結され天壁２ａを開閉可能な蓋体である。第１切断予定線４ａ及び第２切断予定線４ｂはそれぞれ、上述したとおり、補助壁３からの引張りに伴い後側周壁２ｂ2が周方向端３ａを基点に外側に引き伸ばされることで切断される。このため、蓋体５は、蓋体５を開いて引っ張ることで、補助壁３からの引張りを生起させる操作片として機能する。
【００２５】
補助壁３の周方向端３ａは、補助壁３が後半分領域、即ち、後側周壁２ｂ2全体を覆うように連結されることが好ましいが、本発明に従えば、後半分領域全体を覆うことは必ずしも必要ではなく、補助壁３が後半分領域よりも小さい領域を占めるように連結されてもよい。即ち、補助壁３は、後側周壁２ｂ2の少なくとも一部の領域に周方向に沿って延在していればよい。
【００２６】
なお、本発明において、前半分領域及び後半分領域とは、キャップ軸線Ｏを中心としてヒンジ６側及びヒンジ６と対向する側をそれぞれ、前側Ｆ及び後側Ｒと定義する一方、これら前側Ｆ及び後側Ｒに向かって延在する前後軸線に対し、軸線Ｏを基点に垂直に延在する側それぞれ、右側ＳR及び左側ＳLと定義する。即ち、前半分領域は、軸線Ｏを中心に前側の左右１８０°の領域といい、後半分領域とは、軸線Ｏを中心に後側の左右１８０°の領域という。
【００２７】
本発明によれば、蓋体５を開いた状態で、例えば図面の矢印に示す方向に引っ張ると、複数の連結片Ｃが順次切断された後、第１切断予定線４ａも破断されるので、第１切断予定線４ａの破断をきっかけに、第２切断予定線４ｂに沿って後側周壁２ｂ2の一部も、図４に示すように、２つの周方向端３ａを基点にそれぞれ周方向に沿って外向きに反転するように切り開かれる。即ち、２つの周方向端３ａから切り開かれた後側周壁２ｂ2の一部がそれぞれ、図４に示すように、当該後側周壁２ｂ2における２つの周方向端３ａの相互間に存在するきり残し部Ａを基点に、補助壁からの引っ張りに伴って外向きに反転する。このため、容器からの不正な取り外し行為が行われたときには、同図に示すように、それを目視により確認することができる。
【００２８】
また、容器口部２１からヒンジキャップ１を分別廃棄するときも、蓋体５を開いた状態で引っ張れば、後側周壁２ｂ2が２つの周方向端３ａを基点にそれぞれ周方向に沿って外向きに反転するように切り開かれるため、図４に示すように、後側周壁２ｂ2に形成された突起２ｃ2による容器口部２１の外周面との嵌合の一部が解除される。これにより、本体２の嵌合力が弱まるため、そのまま蓋体５を引き上げれば、従来のように、蓋体５を更に下側に押し下げなくとも、容器口部２１からヒンジキャップ１を分離することができる。
【００２９】
従って、本発明によれば、容器からの不正な取り外し行為が行われたときには、それを目視により確認することができる一方、分別廃棄の際には、煩雑な作業工程を経ることなく、容器口部２１からの分離が可能なヒンジキャップを提供することができる。
【００３０】
特に、本形態の如く、後側周壁２ｂ2の下端から突起２ｃ2に至るまで切り込みを生じさせる第１切断予定線４ａと、この第１切断予定線４ａに繋がり周方向端３ａを基点にそれぞれが互いに接近しながら切断される第２切断予定線４ｂとで構成すれば、容器口部２１からの分離を容易なものとしつつ、不正な容器からの取り外し行為そのものを抑止することができる。
【００３１】
なお、連結片７は、補助壁３の引っ張りによって破断させることができる。これにより、ヒンジキャップ１を分別廃棄するまでの使用中に生じる補助壁３のぐらつきを抑えることができる。
【００３２】
上述したところは、本発明の好適な形態をしたものであるが、特許請求の範囲において、種々の変更を加えることができる。
【図面の簡単な説明】
【００３３】
【図１】本発明の一形態であるヒンジキャップを前方上側から蓋体を開いた状態で示す斜視図である。
【図２】同ヒンジキャップを後方上側から蓋体を開いた状態で示す斜視図である。
【図３】同ヒンジキャップの要部を上部から示す平面図である。
【図４】分別廃棄（容器からの取り外し）の際し、同ヒンジキャップに対して開封操作を行った後の状態を示す平面図である。
【図５】(a),(b)はそれぞれ、ヒンジキャップ１を閉じた状態を示す縦断面図及び同キャップを下端側から示す要部底面図である。
【符号の説明】
【００３４】
１    ヒンジキャップ
２    本体
２ａ  天壁
２ａ1 注出筒
２ａ2 プルリング
２ａ3 封止栓
２ａ4 薄肉部
２ｂ  周壁
２ｂ1 前側周壁
２ｂ2 後側周壁
２ｂ3 周壁連結部
２ｃ1 前側突起
２ｃ2 後側突起
３    補助壁
３ａ  補助壁周方向端
４ａ  第１切断予定線
４ｂ  第２切断予定線
５    蓋体
６    ヒンジ
７    連結片
【図１】
2010126227.tif 000003
【図２】
2010126227.tif 000004
【図３】
2010126227.tif 000005
【図４】
2010126227.tif 000006
【図５】
2010126227.tif 000007